(57)【要約】      （修正有）【課題】漏れ光が少なく照明効率の高い照明装置を提供する。【解決手段】発光素子を有する発光部、発光部からの配光を制御する反射体を有する複数の光学ユニット６と、この複数の光学ユニットを、前後方向に通る中心軸を対称軸として左右対称に取り付け、これら光学ユニットからの光を外部へ照射する開口を有する照射部を設けた装置本体Ａとを具備している。【選択図】図２
2015165509.tif 000002
【特許請求の範囲】
【請求項１】
発光素子を有する発光部、発光部の配光を制御する反射体を有する複数の光学ユニットと；
この複数の光学ユニットを前後方向にとおる中心軸を対称軸として左右対称に前記光学ユニットを取り付け、これら光学ユニットからの光を外部へ照射する開口を有する照射部を設けた装置本体と；
を具備していることを特徴とする照明装置。
【請求項２】
反射体は、被照射面の幅方向に照射される光を制御する反射面と、被照射面の長手方向に照射される光を制御する反射面と、を有することを特徴とする請求項１に記載の照明装置。
【請求項３】
光学ユニットは装置本体を支持する支柱と反対側の前方に照射する前方照射光学ユニットと、後方に照射する後方照射光学ユニットとを有することを特徴とする請求項１または２に記載の照明装置。
【発明の詳細な説明】
【技術分野】
【０００１】
本発明は道路灯等として用いられる照明装置に関する。
【背景技術】
【０００２】
従来、この種の照明装置としては、例えば特許文献１に記載されているものがある。この照明装置は、装置本体に配設されるＬＥＤモジュールの取付角度を調整することにより、各ＬＥＤモジュールの照射方向を調整するように構成されている。このために、反射鏡を具備していない。
【先行技術文献】
【特許文献】
【０００３】
【特許文献１】特開２００７−２４２２５８号公報
【発明の概要】
【発明が解決しようとする課題】
【０００４】
しかしながら、この特許文献１記載の照明装置では、ＬＥＤモジュールの配光を制御する反射鏡を具備していないために、被照射領域外への漏れ光が多く、照明効率が高くないという課題がある。特に、照明対象である道路の幅方向に照射される光を反射鏡により制御することができないので、この道路幅方向への漏れ光が多く、近隣住宅に悪影響を与える虞が大きい。
【０００５】
また、複数のＬＥＤモジュールは、その取付台に固定されているので、例えばＬＥＤモジュールの一部に不点等の不具合が発生した場合には、その不具合が発生したＬＥＤモジュールのみを交換することができず、照明装置全体を交換しなければならず、メンテナンスコストが高いという課題もある。
本発明はこのような事情を考慮してなされたもので、漏れ光が少なく照明効率の高い照明装置を提供することを目的とする。
【課題を解決するための手段】
【０００６】
本願請求項１に係る照明装置は、発光素子を有する発光部、発光部の配光を制御する反射体を有する複数の光学ユニットと；この複数の光学ユニットを前後方向にとおる中心軸を対称軸として左右対称に前記光学ユニットを取り付け、これら光学ユニットからの光を外部へ照射する開口を有する照射部を設けた装置本体と；を具備していることを特徴とする。
【０００７】
本請求項以下の発明において、光学ユニットの発光素子としては、発光ダイオード（ＬＥＤ）や半導体レーザーなど、半導体を発光源とした発光素子を使用することができる。ＬＥＤの場合は例えばＣＯＢ（Ｃｈｉｐ  Ｏｎ  Ｂｏａｒｄ）やＳＭＤ型のＬＥＤを好適に用いることができる。発光素子の個数、光学ユニットの個数は任意に選定できる。複数個の光学ユニットは、同一機能、性能を有するものでも、機能、性能が異なるものでもよい。装置本体は、例えばアルミダイカスト等からなる金属や、光を透過させない合成樹脂等で構成して光を遮断することが好ましいが、光障害とならない範囲で、多少光が漏れるものも許容される。光学ユニットの支持板は、金属や合成樹脂で形成できるが、発光素子がＬＥＤである場合、アルミダイカスト等からなる金属製とし、これにＬＥＤを熱伝導可能に配設することで，ＬＥＤの放熱を促進する構成とすることが好ましい。
【０００８】
また、本発明の照明装置は、高速道路や一般道路等の道路灯、公園等屋外の照明をなす防犯灯などの屋外照明装置として好適に使用されるが、室内の廊下や通路等の長手方向（通路等が延びる方向）に所定の明るさを必要とする場所に設置される屋内用照明器具としても使用することができる。例えば防犯灯に使用する場合、装置本体の幅方向両側から光を斜め下方に出射して、道路の長手方向に沿って広範囲な配光を得るようにすることが好ましい。
【発明の効果】
【０００９】
請求項１に係る照明装置によれば、漏れ光が少なく照明効率の高い照明装置を提供することを目的とする。
【図面の簡単な説明】
【００１０】
【図１】本発明の第１の実施形態に係る照明装置の底面図。
【図２】図１で示す照明装置を支柱上に配設した状態を俯仰したときの外観斜視図。
【図３】図１，図２で示す照明装置を俯瞰したときの外観斜視図。
【図４】図１〜３で示す照明装置の正面図。
【図５】同，平面図。
【図６】同，左側面図。
【図７】同，右側面図。
【図８】図１のＶＩＩＩ−ＶＩＩＩ線概略断面図。
【図９】図１，図２で示すＬＥＤ光学ユニットをユニット支持板に２個並設したときの平面図。
【図１０】図８で示すＬＥＤ光学ユニットを、その照射開口の正面から見たときの正面図。
【図１１】（ａ）は図１０で示すＸＩ−ＸＩ線断面の概略端面図、（ｂ）は同（ａ）の変形例を示す概略断面図。
【図１２】図１等で示すＬＥＤ光学ユニットを正面から見たときの斜視図。
【図１３】同，ＬＥＤ光学ユニットを背面から見たときの斜視図。
【図１４】屈曲ポールに配設された照明装置の俯仰斜視図。
【図１５】本発明の第２の実施形態に係る照明装置の底面図。
【図１６】同，上蓋の内面平面図。
【図１７】同，側断面図。
【図１８】図１５〜図１７で示すＬＥＤ光学ユニットの平面図。
【図１９】図１５〜図１７で示す反射体の斜視図。
【図２０】図１５〜図１７で示す光学ユニットの反射作用を示す模式図。
【図２１】図１５〜図１７で示す前方照射ＬＥＤ光学ユニットの側面図。
【図２２】同，後方照射ＬＥＤ光学ユニットの側面図。
【図２３】図１７のＸＸＩＩＩ−ＸＸＩＩＩ線断面図。
【図２４】図１５〜図２２で示す１台の照明装置を道路の十字状交差点の一隅角部外側に立設したときの配光特性を示す図。
【図２５】同，４台の照明装置を道路の十字状交差点に立設したときの合成配光特性を示す図。
【図２６】本発明の第３の実施形態に係る照明装置の底面図。
【図２７】同，複数の光学ユニットをユニット取付板に配設した状態を示す斜視図。
【図２８】図２６，図２７で示す光学ユニットの拡大平面図。
【図２９】図２７で示すユニット取付板の短手方向中間部に配列された複数の光学ユニットの側面図。
【図３０】図２７のＸＸＸ−ＸＸＸ線断面図。
【図３１】図２６の図中左端の前端から照明装置を見たときの一部（図３１中では下部）を断面で示し、他部（図３１では上部）の一部切欠いて示す図。
【発明を実施するための形態】
【００１１】
以下、本発明の実施形態を図面に基づいて説明する。なお、図中、同一または相当部分には同一符号を付している。
【００１２】
図２は本発明の一実施形態に係る照明装置をポール（支柱）上に配設した状態を俯仰したときの外観斜視図、図３は同，照明装置自体を俯瞰したときの外観斜視図、図４は同，照明装置自体の正面図、図５は同，平面図である。
【００１３】
これらの図で示すように本発明に係る照明装置１は、例えば高速道路や一般道路等の道路に、道路灯等として用いることができるので、以下、道路灯に適用した場合について説明する。図２に示すように照明装置１は、支柱である中空円柱または中空角柱等からなるポール２により例えば地上約１０ｍの高さに配設される。ポール２は、例えば高速道路等の道路の幅方向端部外側において地面上に強固に立設され、道路の長手方向に所要のピッチを置いて複数立設される。図３〜図５に示すように、照明装置１は装置本体Ａを有する。装置本体Ａは、ケース本体３の図中上面の開口端に、カバーの一例である上蓋４をねじ止め等により固定することにより、このケース本体３の開口上端３ｄを密閉することにより構成されている。
【００１４】
図３に示すように、上蓋４は、例えばアルミニウムダイカスト等により、平面形状がほぼ長円形に形成され、照明対象の一例である道路（図示省略）の幅方向（図４，図５では左右方向）に沿う長さＷの方が道路の長手方向（図４，図５では上下方向）に沿う長さｌよりも長く形成されている。
【００１５】
図３〜図７に示すように、上蓋４は、その図中上面を、そのほぼ中央部を頂部４ａとする外方に膨出する湾曲面４ｂに形成している。この湾曲面４ｂには、外方に凸の前後一対の突条部４ｃ，４ｄを上蓋４の長手方向に一体に連成している。
【００１６】
これら突条部４ｃ，４ｄは上蓋４の幅方向に所要の間隔を置いてほぼ平行に並設され、これら突条部４ｃ，４ｄの間には、内側に凹弧状に凹む帯状の凹部４ｅを一体に連成している。
【００１７】
この凹弧状凹部４ｅは、上蓋４の中央部４ａから前端部（図４，図５では左端部）４ｆと後端部（図４，図５では右端部）４ｇに向けて漸次低くなる下り傾斜面４ｈ，４ｉを湾曲面によりそれぞれ一体に連成している。すなわち、上蓋４は、その外面を、図３中矢印で示すように外気が長手方向と幅方向に流れる際の空気抵抗を低減する流線形に形成している。
【００１８】
そして、図４に示すように上蓋４は、その後端部４ｇの後端をケース本体３の後端（図４では右端）上端部に回動可能に取り付け、図４中白矢印方向に開閉可能に構成し、開閉蓋に形成されている。
【００１９】
この開閉蓋４ｇの図４中下方にあるケース本体３の後端部（図４では右端部）の内部は、電気室３ａに形成されている。この電気室３ａは図４中破線で示す仕切壁３ｂにより後述する光源室３ｃと仕切られており、電源端子（図示省略）と、この電源端子に接続される電源線および点灯制御線の一端部を水密に収容している。
【００２０】
図７に示すように電気室３ａの図４中右端壁であるケース本体３の図４，図５中右端壁には、図１４で示す屈曲ポール２ａの先端部を挿入させ、固定するポール挿入用横孔３ｄを有するポール結合部３ｄａを形成している。
図２に示すようにこの上蓋４の図中開口下端には、図中上下端に開口を形成した多角筒
状のケース本体３がねじ止めにより着脱可能に結合される。ケース本体３は、上蓋４と結
【００２１】
合される上端部３ｄの平面形状を、上蓋４の平面形状の長円形と同形同大のほぼ長円形に形成した多角形の偏平筒状に形成されており、側面３ｅを図中下端３ｆに向けて漸次縮小する傾斜面に形成している。ケース本体３の上端部３ｄには、光源室３ｃの図中上端のほぼ全面に挿通する大きな開口部（図示省略）が形成されている。
【００２２】
図１はケース本体３の下端３ｆの底面図である。この図１に示すようにケース本体３は、その電気室３ａ側の後端部（図１では右端部）３ｇの下端部３ｆに、図２で示す例えば直棒状のポール２の先端部を挿入させ、固定させるポール挿入用縦孔３ｈを有するポール結合部３ｉを形成している。一方、ケース本体３は、その前端部（図１では左端部）３ｊ側には、横長矩形の各角部を面取りしたような多角形の開口３ｋを形成している。この開口３ｋには透光体の一例である強化ガラスからなる透光プレート５を配設し、光源室３ｃを水密かつ気密に密閉している。この光源室３ｃ内には、複数のＬＥＤ光学ユニット６，６，…を複数列、例えば図１中、横４列に配列して収容している。
【００２３】
これらＬＥＤ光学ユニット６，６，…は、その４列の中心をケース本体３の前後方向（図１では左右方向）に通る中心軸Ｏを対称軸として左右（図１では上下）対称にそれぞれ所要数、例えば５台を配設している。
【００２４】
そして、これら各片側のＬＥＤ光学ユニット６，６，…は、例えばその配列の内側ｉｎ
（中心軸Ｏ側）に、所要数、例えば２台を中心軸Ｏの軸方向に並設し、これらの外側ｏｕｔには、所要数、例えば３台を中心軸Ｏの軸方向に並設している。これら左右に配列されたＬＥＤ光学ユニット６，６，…は、その照射開口６ｇを互いに左右方向反対側に向けてクロス配置することにより、これらＬＥＤ光学ユニット６，６，…からの照射光がその下方で交差するようになっている。
【００２５】
図８に示すように上蓋４とケース本体３との接合により、その内部空間は複数のＬＥＤ光学ユニット６，６，…を収容する光源収容部７に形成され、この光源収容部７内では内側配列の各ＬＥＤ光学ユニット６ｉｎを、外側配列の各ＬＥＤ光学ユニット６ｏｕｔよりも、上方、すなわち高い位置（上段）に配置し、図８中左右に配置された内，外側ＬＥＤ光学ユニット６ｉｎ，６ｏｕｔは図中下方に向けて末広のハの字状に配列され、交差ハの字状に配列されている。また、内側の各ＬＥＤ光学ユニット６ｉｎは、近傍を照射するために、その照射光の光軸Ｌａが透光プレート５の図８中上面に対して所要角度θａ（例えば５０°）になるように傾斜した状態で固定される。外側の各ＬＥＤ光学ユニット６ｏｕｔは、近傍よりも遠方を照射するために照射光の光軸Ｌｂが透光プレート５の図８中上面
に対して所要角度θｂ（例えば６０°）になるように傾斜した状態で固定されている。
【００２６】
図１，図８〜図１３に示すように各ＬＥＤ光学ユニット６は、発光部の一例であるＬＥＤ（発光ダイオード）モジュール６ａ、その支持基板の一例であるセラミック基板６ｂ、図１０中上下一対の平面ミラー６ｃ，６ｄ、図１０中左右一対の側面カーブミラー６ｅ，６ｆ、これら４枚のミラー６ａ〜６ｆを一体または一体的に結合してラッパ状角筒体に構成された反射筒６ｉを有する。反射筒６ｉはラッパ状に拡開する矩形状の照射開口６ｇと、その軸方向反対側でラッパ状に縮径する縮径側底部６ｊを有する。
【００２７】
図１０に示すようにＬＥＤモジュール６ａは、例えばＣＯＢ（Ｃｈｉｐ  Ｏｎ  Ｂｏａｒｄ）により青黄色系擬似白色発光ダイオードに構成されている。すなわち、ＬＥＤモジュール６ａは、回路を形成したプリント基板上に、例えば青色発光のＬＥＤ（発光ダイオード）ベア・チップの所要数（例えば１９６個）を所要列（例えば１４行１４列）のマトリクスにより配列して直接実装し、これらＬＥＤベア・チップ上に、黄色発光の蛍光体を含有した樹脂を塗布し、シリコーン樹脂により封着している。このように構成されたＬＥＤモジュール６ａは、セラミック基板６ｂＣの前面６ｂｃのほぼ中央部上に例えばシリコーン樹脂などにより固着されている。
【００２８】
すなわち、図１１（ａ）に示すようにセラミック基板６ｂは、その背面側端部を、ユニット支持板９の嵌合開口部９ｋ内に嵌合させてこの嵌合状態で、ＬＥＤモジュール６ａの発光面６ａａが反射筒６ｉの縮径側底部６ｊの内底面６ｊｃよりも図中上方、すなわち、前方に若干突出させて外部に露出させるようにセラミック基板６ｂにＬＥＤモジュール６ａを固着している。このために、この固着状態でＬＥＤモジュール６ａの発光面６ａａが反射筒６ｉの縮径側底部６ｊの前面６ｂｃよりも若干前方へ突出する位置になるように構成されている。図１１（ｂ）は、同図１１（ａ）で示すセラミック基板６ｂの位置決めの変形例を示す縦断面図である。この変形例では、セラミック基板６ｂを嵌入させるユニット支持板９の嵌合開口部９ｋの深さを、図１１（ａ）で示す嵌合開口部９ｋよりも深く形成することにより、セラミック基板６ｂの図中上面の前面６ｂｃを、ユニット支持板９の前面９ａにほぼ一致させて面一に構成してもよい。
【００２９】
図１２に示すようにラッパ状反射筒６ｉは、図中、左右一対の側面カーブミラー６ｅ，６ｆを、例えばアルミニウム等の平板を所要角で湾曲形成して、その内面を鏡面等の反射面に形成し、その湾曲反射面を、照明対象の道路の幅方向の両側に向けて漸次拡開するように形成しており、ＬＥＤモジュール６ａから道路の幅方向に照射される配光を主に制御する。すなわち、各ＬＥＤ光学ユニット６，６，…は図１に示すように中心軸Ｏの軸方向に沿う道路幅方向の配光特性を主に制御する。なお、図１中、各側面カーブミラー６ｅ，６ｆの複数の平行縦線で表示している部分は、これら側面カーブミラー６ｅ，６ｆの各湾曲内面（すなわち、反射面）をそれぞれ示している。
【００３０】
一方、反射筒６ｉは、アルミニウム製の上下一対の平面ミラー６ｃ，６ｄを図１２，図１３に示すように左右一対の側面カーブミラー６ｅ，６ｆに一体に結合して、照明開口６ｇに向けて漸次拡開する有底ラッパ状角筒体により反射筒６ｉに形成している。図１０，図１２に示すように、このラッパ状反対筒６ｉは、その縮径側底部６ｊの中央部に、上記セラミック基板６ｂと嵌合させる嵌合開口部６ｋを形成している。この嵌合開口部６ｋ内には、セラミック基板６ｂが収容される。この収容時では、図１１に示すようにこのセラミック基板６ｂの前面６ｂｃが反射筒６ｉの底部６ｊの内面６ｊｃとほぼ面一となる。上下一対の平面ミラー６ｃ，６ｄはその内面を鏡面等の反射面に形成すると共に、図中上下方向に所要の間隔を置いてほぼ平行に並設しているので、照射開口６ｇから外部へ照射される照射光を拡大するようには制御しない。また、図９に示すように上下一対の平面ミラー６ｃ，６ｄはＬＥＤモジュール６ａの近傍において、放熱孔ｈ，ｈをそれぞれ形成している。
【００３１】
そして、これら平面，側面ミラー６ｃ〜６ｆは装置本体Ａがポール２により地上約１０ｍ程度の高さに配置されたときに、地上約７ｍ程度の高さに一次反射光が集光するように構成されている。
【００３２】
セラミック基板６ｂは、その背面を、図９，図１１（ａ），（ｂ），図１２，図１３で示すアルミニウム製等の金属製矩形平板状のユニット支持板９の前面９ａに形成された嵌合開口部９ｋ内に嵌合されている。この嵌合状態において、セラミック基板６ｂの前面は、押えの一例である上下一対の板ばね８ａ，８ｂの自由端により弾性的に支持されている。この板ばね８ａ，８ｂの自由端の反対側の一端はユニット支持板９にねじ止めにより固定されている。すなわち、上下一対の板ばね８ａ，８ｂとユニット支持板９とによりセラミック基板６ｂを厚さ方向で弾性的に挟持している。
【００３３】
これら板ばね８ａ，８ｂは、その上端と下端が反射筒６ｉの底部６ｊの上下各端にそれ
ぞれねじ止めにより固定されている。これら板ばね８ａ，８ｂの各内端部は、セラミック基板６ｂの前面上に突出し、その各突出端部には、図１０中上下方向に延在し、内端で開口するスリット８ａａ，８ｂａをそれぞれ形成し、これらスリット８ａａ，８ｂａ内に、セラミック基板６ｂの前面の上端と下端とにそれぞれ突設した縦長矩形の係合用小突起６ｂａ，６ｂｂを挿入させることにより、若干の遊びを持たせて支持している。図１０中、符号６ｈはＬＥＤモジュール６ａに電気的かつ着脱可能に接続される給電用のコネクタである。コネクタ６ｈはリード線ｌにより上記電気室３ａ内の電源端子に電気的に接続されている。
【００３４】
図９，図１３に示すようにＬＥＤ光学ユニット６は、そのユニット支持板９の背面９ｂに、アルミニウム製等金属製の複数の放熱用フィン９ｃ，９ｃ，…を形成している。これら放熱フィン９ｃ，９ｃ，…の外方突出長さは、各々同じでもよく、図９，図１３に示すように並設方向の内側の数枚を外側のものよりも短くしてもよい。
【００３５】
図９に示すように、このように構成されたＬＥＤ光学ユニット６は、その複数個が帯板状のユニット取付板１０にボルトやねじＳａ等により着脱可能に取り付けられる。
【００３６】
すなわち、ユニット取付板１０は、その板厚方向に、複数の放熱フィン９ｃ，９ｃ，…を挿通させる矩形の挿通孔１０ａを形成している。この挿通孔１０ａ内に複数の放熱フィン９ｃ，９ｃ，…を挿通させた状態でＬＥＤ光学ユニット６の支持板９をユニット取付板１０にねじＳにより着脱可能に固定している。ユニット取付板１０は、内側ＬＥＤ光学ユニット６ｉｎについては、例えば２台を横並びで並設し、外側ＬＥＤ光学ユニット６ｏｕｔについては、例えば３台を横並びで並設している。これらユニット取付板１０は上記上蓋４の内面の所要の箇所に固定される。すなわち、全台のＬＥＤ光学ユニット６，６，…は上蓋４の内面に着脱可能に固定される。この固定の際に、ＬＥＤ光学ユニット６，６，…のユニット支持板９の少なくとも一部を上蓋４の内面に直接または放熱性の高い金属板やヒートパイプ等の放熱体を介して接触させ、放熱性の向上を図っている。
【００３７】
そして、このように構成されたＬＥＤ光学ユニット６，６，…の一部に、例えば不点灯等の故障が発生した場合に、残りの点灯中のＬＥＤ光学ユニット６，６，…の中心軸Ｏを対称軸とする左右対称性を確保するために、これらＬＥＤ光学ユニット６，６，…に電気的に接続される電源系統を複数系統、例えば２系統設けている。
これによれば、万一、一系統の電源系統が何らかの原因により遮断した場合でも、残り
の電源系統によりＬＥＤ光学ユニット６，６，…を点灯させ、または点灯中の場合は、その点灯を維持することができる。
【００３８】
また、これら複数の電源系統を、中心軸Ｏを対称軸とするＬＥＤ光学ユニット６，６，…の点灯の左右対称性を維持するようにＬＥＤ光学ユニット６，６，…に接続してもよい。
【００３９】
例えば電源系統を２系統設け、その１系統を、４台の内側ＬＥＤ光学ユニット６ｉｎ，６ｉｎ，…にそれぞれ接続し、他の系統を、６台の外側ＬＥＤ光学ユニット６ｏｕｔ，６ｏｕｔ，…にそれぞれ接続してもよい。これによれば、万一、一系統が遮断した場合でも、内側または外側のＬＥＤ光学ユニット６ｉｎ，６ｏｕｔ，…の一方を点灯させることができるうえに、その点灯時の左右対称性を維持することができる。
【００４０】
そして、これら複数系統の電源線はケース本体３の電気室３ａ内の電源端子台の２次側に接続され、この電源端子台の１次側には、図示しない１次側の電源線を電気的に接続している。この１次側の電源線は中空のポール２内を通って図示しない電源装置に電気的に接続される。電源装置はＬＥＤ光学ユニット６，６，…の点灯回路、その点灯を制御する制御装置（図示省略）を具備している。電源装置は図示しない箱状のケース内に収容され、地上で作業員が作業し易い地上高さでポール２の外面に配設されている。
【００４１】
次に、この照明装置１の作用を説明する。
ＬＥＤ光学ユニット６，６，…のＬＥＤモジュール６ａが複数系統の電源線により通電されると、このＬＥＤモジュール６ａが例えば白色光に発光する。この白色光は、上下一対の平面ミラー６ｃ，６ｄと左右一対の側面ミラー６ｅ，６ｆで反射して照射開口６ｇから透光プレート５側へ照射され、この透光プレート５を透過して照明対象の道路へ照射される。
【００４２】
ところで、上下一対の平面ミラー６ｃ，６ｄで反射された光は、これら上下一対の平面ミラー６ｃ，６ｄが互いにほぼ平行に配設されているので、ほぼ拡がらずに主に道路の長手方向へ照射される。一方、左右一対の側面カーブミラー６ｅ，６ｆにより反射された白色光は、これら側面カーブミラー６ｅ，６ｆが道路の幅方向に向けて拡開しているので、主に道路の幅方向へ照射される。したがって、これら左右一対の側面カーブミラー６ｅ，６ｆの拡開角度により、道路の幅方向へ照射される照射角を制御することができる。
【００４３】
すなわち、この照明装置１は、各ＬＥＤ光学ユニット６毎に道路の幅方向への照射角を制御することができるので、漏れ光となる道路幅方向への配光を各ＬＥＤ光学ユニット６毎に適宜制御することにより、漏れ光を低減できる。これにより、被照明エリアの照明率を向上させ、低電力で目標照度を得ることができる。
【００４４】
また、ＬＥＤ光学ユニット６の側面カーブミラー６ｅ，６ｆの形状や拡開角度を適宜調整することにより、これら側面カーブミラー６ｅ，６ｆで反射された一次反射光を道路の幅員以内に集光させることができる。また、照明装置１の地上高さを、ポール２の高さにより、例えば地上１０ｍの高さに設置した場合には、地上高７ｍの範囲内に一次反射光を集光させることもできる。
【００４５】
さらに、複数のＬＥＤ光学ユニット６，６，…の道路幅方向の照射ポイントをみな同一にし、道路長手方向に均等な輝度分布となるように照射方向を振り分けることができる。  そして、図８に示すように近傍照射用の内側ＬＥＤ光学ユニット６ｉｎ，６ｉｎ，…と、近傍よりも遠い遠方照射用のＬＥＤ光学ユニット６ｏｕｔ，６ｏｕｔ，…の両者を具備しているので、照明装置１の近傍と遠方の両者を照明することができる。しかも、図１に示すように、対称軸（中心軸Ｏ）の左右（図１では上下）に、近傍照射用と遠方照射用のＬＥＤ光学ユニット６，６，…で１組をなすＬＥＤ光学ユニット６，６，…をそれぞれ配設して２組を構成すると共に、これら２組を左右対称に配置すると共に、図８に示すように照射部の透光プレート５に対してハの字状に傾斜させて対向させたので、この透光プレート５から外部へ照射される光の配光をハの字状に広げ、照明領域を拡大できると共に、透光プレート５の下方近傍において、左右からの照射光を交差（クロス）させるので、近傍照射の明るさを向上できる。
【００４６】
また、遠方照射用のＬＥＤ光学ユニット６ｏｕｔ，６ｏｕｔ，…の上方、すなわち上段に、近傍照射用のＬＥＤ光学ユニット６ｉｎ，６ｉｎ，…を配置したので、近傍照射用のＬＥＤ光学ユニット６ｉｎ，６ｉｎ，…は、遠方照射用のＬＥＤ光学ユニット６ｏｕｔ，６ｏｕｔ，…の放熱により加熱され、外側ＬＥＤ光学ユニット６ｏｕｔ，６ｏｕｔ，…よりも高温になり、光出力が低下し易いが、近傍照射であるので、その影響は少ない。しかも、左右配置のＬＥＤ光学ユニット６，６，…の照射光が交差するので、近傍の明るさがもともと高いので、近傍照射用ＬＥＤ光学ユニット６ｉｎ，６ｉｎのＬＥＤモジュール６ａの光出力が昇温により低下しても、近傍照射光の低減の影響はさらに低い。
【００４７】
これに対し、高い光出力が要求される遠方照射用のＬＥＤ光学ユニット６ｏｕｔ，６ｏｕｔ，…は、近傍照射用ＬＥＤ光学ユニット６ｉｎ，６ｉｎ，…よりも下方の位置にあるので、近傍照射用ＬＥＤ光学ユニット６ｉｎ，６ｉｎ，…の放熱により加熱される程度が低い。このために、昇温により光出力の低下を低く抑制することができる。
【００４８】
さらに、図１に示すようにＬＥＤ光学ユニット６，６，…は、その図１中上下一対の平面ミラー６ｃ，６ｄが、道路の長手方向で隣り合うように並設されているので、その道路の長手方向に照射される配光の長手方向の長さを拡大できる。
また、近傍照射用ＬＥＤ光学ユニット６ｉｎ，６ｉｎ，…と遠方照射用のＬＥＤ光学ユ
【００４９】
ニット６ｏｕｔ，６ｏｕｔ，…を上下２段に配置したので、これらを収容する上蓋４とケース本体３の平面形状の小型化を図ることができる。さらに、光源として小型、軽量、高出力のＬＥＤを用いたので、その分、小型、軽量、高出力を図ることができる。
【００５０】
さらに、上蓋４は、その上面上に、雨や雪、ほこり、粉塵、枯葉等が降下した場合には、これらは図３中矢印で示すように上蓋４の前後方向の下り湾曲面や幅方向の下り湾曲面により摺べり落ちるので、これらの堆積を低減できる。このために、メンテナンスを軽減できる。
【００５１】
さらにまた、上蓋４は一対の山なりの突条４ｃ，４ｄや湾曲凹部４ｅを形成することにより、表面積の増大を図っているので、放熱性を向上できる。また、上蓋４内の光源室３ｃ内の自然対流を促進して放熱性を向上できる。
【００５２】
なお、上記実施形態ではＬＥＤ光学ユニット６，６，…を１０台設けた場合について説明したが、本発明は、その台数に限定されるものではなく、１０台以上でもよく、１０台以下でもよい。さらに、対称軸Ｏの左右に配列される台数の配分も５台対５台に限定されるものではないが、左右対称に配設されることが望ましい。
【００５３】
さらに、各ＬＥＤ光学ユニット６はＬＥＤモジュール６ａ、平面ミラー６ｃ，６ｄおよび側面カーブミラー６ｅ，６ｆ、セラミック基板６ｂ、ユニット支持板９、ヒートシンク９ｃ，９ｃを一体的に組み付けることによりユニット化し、上蓋４に着脱自在に設けたので、各ＬＥＤ光学ユニット６毎に交換することができる。このために、ＬＥＤ光学ユニット６の一部に不具合が発生した場合でも、照明装置１全体を交換する場合に比してコスト低減を図ることができる。また、平面ミラー６ｃ，６ｄや側面カーブミラー６ｅ，６ｆの形状を変えることにより種々の配光要求に容易に対応することができる。さらに、ＬＥＤ光学ユニット６，６，…は１台毎にヒートシンク９ｃ，９ｃを具備しているので、ＬＥＤチップの発熱の放熱性を向上できる。さらに、これらヒートシンク９ｃ，９ｃは上蓋４の内面に伝熱可能に接触しているので、上蓋４から外部へ放熱できるので、さらなる放熱性の向上を図ることができる。
【００５４】
さらにまた、ＬＥＤモジュール６ａを伝熱性の高いセラミック基板６ｂの収容凹部内に収容しているので、ＬＥＤモジュール６ａの発熱に対する放熱性を向上できる。また、一般に脆弱なセラミック基板６ｂを、ねじ止めせずに、一対の板ばね８ａ，８ｂにより弾性的に支持するので、セラミック基板６ｂの破損を低減できる。さらに、ＬＥＤモジュール６ａの発光面６ａａがセラミック基板６ｂの前面ｂｃ（表面）とほぼ面一または若干前方にあり、あるいは、セラミック基板６ｂの前面６ｂｃとユニット支持板９の前面９ａがほぼ面一であるので、ＬＥＤモジュール６ａの発光を、白色のセラミック基板６ｂの前面と、側面カーブミラー６ｅ，６ｆにより反射することができるので、その分、反射効率を向上できる。
【００５５】
そして、図３に示すように上蓋４の外面形状を、その外面を幅方向と長手方向に流れる気流に対し空気抵抗を低減できる流線形に形成したので、例えば地上高さ１０ｍに配置される照明装置１の風圧を低減できる。その結果、照明装置１を支持するポール２，２ａ自体の強度やその埋設基礎の支持強度の向上を共に図ることができる。なお、ポール挿入用横孔３ｄとポール挿入用縦孔３ｄの一方は、不使用時には図示しない閉塞板により密閉される。
【００５６】
図１５は本発明の第２の実施形態に係る照明装置１Ａの底面図である。この照明装置１Ａは、十字状交差点等の道路に好適に使用される道路灯であり、上記第１の実施形態に係る照明装置１における各ＬＥＤ光学ユニット６を、第２のＬＥＤ光学ユニット６Ａに置換した点に主な特徴を有する。
【００５７】
第２のＬＥＤ光学ユニット６Ａは、上記ＬＥＤ光学ユニット６に対しては、その平面ミラー６ｃ，６ｄと側面カーブミラー６ｅ，６ｆを、図１９で示す４面の反射ミラー６Ａｃ６Ａｄ，６Ａｅ，６Ａｆに置換する一方、図２１で示す前方照射ＬＥＤ光学ユニット６Ｆと、図２２で示す後方照射ＬＥＤ光学ユニット６Ｂを具備している点に主な特徴を有し、これ以外は上記ＬＥＤ光学ユニット６とほぼ同様であるので、図１５〜図２３中、同一または相当部分には同一符号を付して、その説明を一部省略している。
【００５８】
すなわち、図１５に示すように、複数の第２のＬＥＤ光学ユニット６Ａ，６Ａ，…は、ケース本体３内に、複数列、例えば図１５中、横４列に配列して収容されている。
【００５９】
そして、これら第２のＬＥＤ光学ユニット６Ａ，６Ａ，…は、その４列の中心をケース本体３の前後方向（図１５では左右方向）に通る中心軸Ｏを対称軸として左右（図１５では上下）対称にそれぞれ所要数、例えば５台を配設している。
【００６０】
また、これら各片側の第２のＬＥＤ光学ユニット６Ａ，６Ａ，…は、例えばその配列の内側ｉｎ（中心軸Ｏ側）に、所要数、例えば２台を中心軸Ｏの軸方向に並設し、これらの外側ｏｕｔには、所要数、例えば３台を中心軸Ｏの軸方向に並設している。これら左右に配列されたＬＥＤ光学ユニット６Ａ，６Ａ，…は、その照射開口６ｇを互いに左右方向反対側に向けてクロス配置することにより、これら第２のＬＥＤ光学ユニット６Ａ，６Ａ，…からの照射光がその下方で交差するようになっている。
【００６１】
さらに、図２３に示すように上蓋４とケース本体３との接合により、その内部空間は複数の第２のＬＥＤ光学ユニット６Ａ，６Ａ，…を収容する光源収容部７に形成され、この光源収容部７内では内側配列の各ＬＥＤ光学ユニット６ｉｎを、外側配列の各ＬＥＤ光学ユニット６ｏｕｔよりも、上方、すなわち高い位置（上段）に配置し、図２３中左右に配置された内，外側ＬＥＤ光学ユニット６ｉｎ，６ｏｕｔは図中下方に向けて末広のハの字状に配列され、交差ハの字状に配列され、左右の内，外側配列の各ＬＥＤ光学ユニット６ｉｎ，６ｏｕｔの照射光が、これらの図中下方で交差する。また、内側の各ＬＥＤ光学ユニット６ｉｎは、近傍を照射するために、その照射光の光軸Ｌａが透光プレート５の図２３中上面に対して所要角度θａ（例えば５０°）になるように傾斜した状態で固定される。外側の各ＬＥＤ光学ユニット６ｏｕｔは、近傍よりも遠方を照射するために照射光の光軸Ｌｂが透光プレート５の図２３中上面に対して所要角度θｂ（例えば６０°）になるように傾斜した状態で固定されている。
【００６２】
図１８に示すように各ＬＥＤ光学ユニット６Ａは、発光部の一例であるＬＥＤ（発光ダイオード）モジュール６ａ、その支持基板の一例であるセラミック基板６ｂ、このセラミック基板６ｂの外周四辺を４面の反射ミラー６Ａｃ，６Ａｄ，６Ａｅ，６Ａｆにより長方形状に囲んでいる。これら反射ミラー６Ａｃ，６Ａｄ，６Ａｅ，６Ａｆはアルミニウム板金等により形成され、各内面は鏡面加工により反射面に形成されている。
【００６３】
図１９に示すように各反射ミラー６Ａｃ〜６Ａｆは形状や高さがそれぞれ相違し、互いに対向する反射ミラー、例えば６Ａｃと６Ａｅ、６Ａｄと６Ａｆの一方、６Ａｅ，６Ａｆは他方６Ａｃ，６Ａｄよりも低く（６Ａｅ＞６Ａｃ，６Ａｆ＞６Ａｄ）形成され、高さの高い一方の反射ミラー６Ａｃ，６Ａｄで反射した光が対向する反射ミラー６Ａｃ，６Ａｆで再び反射せずに、その上方を照射させることにより、より遠方へ光を照射するようになっている。
【００６４】
このために、図１５，図１６に示すように各第２のＬＥＤ光学ユニット６Ａは、中心軸Ｏ（対称軸）にほぼ平行で、かつ各ＬＥＤ光学ユニット６Ａの中で中心軸Ｏ側に位置する反射面は、反射ミラー６Ａｃ〜６Ａｄの中で最も高い反射ミラー６Ａｃを配置している。このために、図１５，図１６中、左右方向の外側方へ、より遠く光を照射することができる。
【００６５】
図１８に示すＬＥＤモジュール６ａは、例えばＣＯＢ（Ｃｈｉｐ  Ｏｎ  Ｂｏａｒｄ）により青黄色系擬似白色発光ダイオードに構成されている。すなわち、ＬＥＤモジュール６ａは、回路を形成したプリント基板上に、例えば青色発光のＬＥＤ（発光ダイオード）ベア・チップの所要数（例えば１９６個）を所要列（例えば１４行１４列）のマトリクスにより配列して直接実装し、これらＬＥＤベア・チップ上に、黄色発光の蛍光体を含有した樹脂を塗布し、シリコーン樹脂により封着し、基板上に例えばシリコーン樹脂などにより固着されている。
【００６６】
セラミック基板６ｂは、その前面に、ＬＥＤモジュール６ａを、その発光面６ａａをセラミック基板６ｂの前面よりも前方に若干突出させて外部に露出させた状態で接着剤のシリコーン樹脂により固着される。また、この固着状態でＬＥＤモジュール６ａの発光面６ａａが白色のセラミック基板６ｂの前面よりも若干前方へ突出する位置になるように構成されている。
【００６７】
そして、図１８に示すように第２のＬＥＤ光学ユニット６Ａは、ＬＥＤモジュール６ａを、高さの最も高い反射ミラー６Ａｃに対向する低い反射ミラー６Ａｅ寄りに偏心させて配設している。これは低い反射ミラー６Ａｅよりも反射光を遠方へ照射できる最も高い反射ミラー６Ａｃから光源であるＬＥＤモジュール６ａを遠ざけることにより、この反射ミラー６Ａｃでの反射角を小さくし、この反射ミラー６Ａｃによる反射光の照射距離の延伸を図ることができる。
【００６８】
図２０はこのＬＥＤ光学ユニット６Ａの高さの高い反射ミラー６Ａｃと、これと対向しこれよりも高さが低い反射ミラー６Ａｅの反射作用を示す模式図である。図２０に示すように発光部のＬＥＤモジュール６ａの光が高さの低い反射ミラー６Ａｅで反射すると、この反射光がこの反射ミラー６Ａｅに対向する高さの高い反射ミラー６Ａｃで再び反射し、上蓋４の幅方向（図２０では左右方向）の比較的内側（ｉｎ）の近傍に照射される。この近傍照射では、ＬＥＤモジュール６ａの発光が高さの低い反射ミラー６Ａｅと高い反射ミラー６Ａｃで２回反射されるので、反射ロスによりやや光束が低下するが、近傍に照射されるので、近傍照射としては十分な光度である。
【００６９】
一方、ＬＥＤモジュール６ａからの光が高さの高い反射ミラー６Ａｃで反射した場合には、この高さの高い反射ミラー６Ａｃが一方の反射ミラー６ＡｅよりもＬＥＤモジュール６ａから遠い位置にあるので、その分、この高い反射ミラー６Ａｃに入射される光の入斜角が小さくなる。このために、この反射ミラー６Ａｃでは小さい反射角で反射され、上蓋４の幅方向外側の遠方に照射される。この場合は、反射ミラー６Ａｃでの反射が１回であるので、その分、近傍照射よりも反射による光束は強く、その分、遠くまで照射することができる。
【００７０】
そして、これら複数のＬＥＤ光学ユニット６Ａは、上蓋４内の幅方向中心を長手方向（図２０の図面の表裏方向）に延在する幅方向中心軸に対して図中、左右対称に配置されているので、この上蓋４の図２０中、直下の水平面上の照度の均斉度の向上を図ることができる。
【００７１】
また、上蓋４の幅方向中心軸に対して一方の側にそれぞれ配設された複数のＬＥＤ光学ユニット６Ａ，６Ａは、図中上下２段に配置され、上蓋４の幅方向で隣り合うＬＥＤ光学ユニット６Ａ，６Ａ同士は段差を有するので、これらＬＥＤ光学ユニット６Ａ，６Ａから照射される照射光が一方のＬＥＤ光学ユニット６Ａにより遮光され、影が発生することを防止または低減できる。
【００７２】
なお、本模式図は、反射ミラー６Ａｃおよび６Ａｅの反射作用を示しているが、ＬＥＤ光学ユニット６Ａの反射ミラー６Ａｄおよび６Ａｄも同様に、高さの異なる反射ミラーにより、後方（遠方）照射および、後方（近傍）照射することができる。
【００７３】
セラミック基板６ｂは、その背面を図１８で示すアルミニウム製等の金属製矩形平板状のユニット支持板９の前面９ａに形成された嵌合開口部６ｋ内に配設された状態において、セラミック基板６ｂの前面６ｂｃを、ユニット支持板９にねじ止めされた押えの一例である上下一対の板ばね８ａ，８ｂにより弾性的に支持している。すなわち、上下一対の板ばね８ａ，８ｂとユニット支持板９とによりセラミック基板６ｂを厚さ方向で弾性的に挟持している。
【００７４】
これら板ばね８ａ，８ｂは、その上端と下端がユニット支持板９の上下各端にそれぞれねじ止めにより固定されている。このように構成されたＬＥＤ光学ユニット６は、その複数個が帯板状のユニット取付板１０にボルトやねじＳａ等により着脱可能に取り付けられる。ユニット取付板１０は、第２の内側ＬＥＤ光学ユニット６Ａｉｎ（上段）については、例えば２台を横並びで並設し、外側ＬＥＤ光学ユニット６Ａｏｕｔ（下段）については、例えば３台を横並びで並設している。これらユニット取付板１０は上記上蓋４の内面に一体に突設された取付ボスにねじ止めにより固着され、所要の箇所に固定される。すなわち、全台の第２のＬＥＤ光学ユニット６Ａ，６Ａ，…は上蓋４の内面に着脱可能に固定される。この固定の際に、第２のＬＥＤ光学ユニット６Ａ，６Ａ，…のユニット支持板９の少なくとも一部を上蓋４の内面に直接または放熱性の高い金属板やヒートパイプ等の放熱体を介して接触させ、放熱性の向上を図っている。
【００７５】
そして、このように構成された第２のＬＥＤ光学ユニット６Ａ，６Ａ，…の電源系統を複数系統、例えば２系統設けている。すなわち、複数の電源系統を、中心軸Ｏを対称軸とする第２のＬＥＤ光学ユニット６Ａ，６Ａ，…の点灯の左右別々に設けてもよい。これによれば、一系統に故障があった場合でも、他系統に故障がなければ、左右の一方の第２のＬＥＤ光学ユニット６Ａ，６Ａ，…を点灯させることができ、全台不点を防止できる。
【００７６】
そして、第２のＬＥＤ光学ユニット６Ａは、図２１で示す前方照射ＬＥＤ光学ユニット６Ｆと、図２２で示す後方照射ＬＥＤ光学ユニット６Ｂとを具備している。図２１に示すように前方照射ＬＥＤ光学ユニット６Ｆは、ＬＥＤモジュール６ａの発光面６ａａとセラミック基板６ｂの前面６ｂｃを、前方Ｆ、すなわち、支柱のポール２の反対側に向けるように傾斜させる楔状の前方用スペーサ１１を具備している。スペーサ１１は、アルミダイカスト等、放熱性の優れたものが好ましい。
【００７７】
図１５，図１６に示すように、前方照射ＬＥＤ光学ユニット６Ｆはケース本体３の後部において、上下（内，外側）２段に配設され、左右４対、すなわち、合計８台が配設されている。
【００７８】
一方、図２２に示すように後方照射ＬＥＤ光学ユニット６Ｂは、ＬＥＤモジュール６ａの発光面６ａａとセラミック基板６ｂの前面６ｂｃを後方Ｂへ向けるように傾斜させるアルミダイカスト製等の楔状の後方用スペーサ１２を具備している。この後方照射ＬＥＤ光学ユニット６Ｂは、図１５，図１６で示すようにケース本体３内の前部に左右一対配設されている。
【００７９】
図２４はこのように構成された第２の実施形態に係る照明装置１Ａの１台を、例えば十字状の道路交差点の隅角部の外側に立設したときの配光特性を示す。照明装置１Ａは、その頭部を道路交差点の中心ＯＡに向けて立設されている。
【００８０】
この照明装置１Ａの配光特性は、ケース本体３の前部に配置された左右２つの後方照射ＬＥＤ光学ユニット６Ｂ，６Ｂにより、後方Ｂの左右両方向へそれぞれ照射されたときの左右の後方配光１３ａ，１３ｂと、ケース本体３の後部配置された左右４対、合計８台の前方照射ＬＥＤ光学ユニット６Ｆ，６Ｆ，…により前方Ｆへ照射されたときの前方配光１４とを有する。
【００８１】
したがって、照明装置１Ａの配光は、ほぼ三角形状の前方配光１４と後方配光１３ａ，１３ｂとが合成されたほぼ長円状の合成配光１５となる。この合成配光１５は、照明装置１を立設した交差点道路の一隅角部を中心にほぼ長円状に照明することができ、交差点中心ＯＡと照明装置１Ａを設置した２つの横断舗道１６ａ，１６ｂを含む領域も照明することができる。
【００８２】
図２５はこの交差点隅角部に４台の照明装置１Ａ，１Ａ，…を立設したときの合成配光１７を示す。この合成配光１７によれば、交差点中心ＯＡから４台の照明装置１Ａ，１Ａ，…の若干後方を含む半径内を照明することができ、交差点の４つの横断舗道１６ａ〜１６ｄの全部を照明できる。
【００８３】
図２６は本発明の第３の実施形態に係る照明装置１Ｃの底面図である。この照明装置１Ｃは、例えば高速道路や一般道路の道路に、道路灯等として用いられる照明装置であり、上記第１の実施形態に係る照明装置１におけるＬＥＤ光学ユニット６を、第３の光学ユニット６Ｃに置換した点に特徴がある。
【００８４】
図２９に示すように第３の光学ユニット６Ｃは、発光部の一例であるＬＥＤ（発光ダイオード）モジュール６ａＣを、その支持基板の一例であるセラミック基板６ｂＣ上に一体に実装している。
【００８５】
ＬＥＤモジュール６ａＣは、図１０で示す第１の光学ユニット６と同様に、例えばＣＯＢ（Ｃｈｉｐ  Ｏｎ  Ｂｏａｒｄ）により青黄色系擬似白色発光ダイオードに構成されている。すなわち、ＬＥＤモジュール６ａＣは、回路を形成したプリント基板上に、例えば青色発光のＬＥＤ（発光ダイオード）ベア・チップの所要数（例えば１９６個）を所要列（例えば１４行１４列）のマトリクスにより配列して直接実装し、これらＬＥＤベア・チップ上に、黄色発光の蛍光体を含有した樹脂を塗布し、シリコーン樹脂により封着し、基板上に例えばシリコーン樹脂などにより固着されている。
【００８６】
すなわち、図３０に示すように白色矩形平板状のセラミック基板６ｂＣは、その前面（図３０では上面）のほぼ中央部に、ＬＥＤモジュール６ａＣをシリコーン樹脂により固着している。このために、ＬＥＤモジュール６ａＣの発光面６ａａＣをセラミック基板６ｂＣの前面６ｂｃＣ（図３０中、上面）よりも上方に若干突出させた状態に形成されている。
【００８７】
セラミック基板６ｂＣは、その前面６ｂｃＣ上に、ＬＥＤモジュール６ａＣのほぼ前面（上面）全体を被覆する異形レンズ２０の図中底面をシリコーン樹脂により固着して、予め一体に形成されることにより第３の光学ユニット６Ｃに構成されている。すなわち、異形レンズ２０は、ＬＥＤモジュール６ａＣと対向する対向面（底面）に、このＬＥＤモジュール６ａＣのほぼ全体を収容する凹部２０ａを形成し、この凹部２０ａの外周縁部（底面）をセラミック基板６ｂＣ上にシリコーン樹脂により固着している。
【００８８】
図２６〜図３０に示すように異形レンズ２０は透光性を有する平面形状が矩形平板状のレンズベース２０ｂのほぼ中央部上に、球面レンズ部２０ｃを一体に突設している。球面レンズ部２０ｃは、平面形状がほぼ長円形に形成され、その長径方向両端部に、例えば一対の半球状の球分部２０ｃａ，２０ｃｂを一体に形成している。これら両球分部２０ｃａ，２０ｃｂの接合部である球面レンズ２０部ｃの長手方向中間部には、これら球分部２０ｃａ，２０ｃｂの頂部よりも所要高さ低いレンズ凹部２０ｃｃが一体に形成され、図２８中、矢印で示すようにＬＥＤモジュール６ａＣの発光は球面レンズ部２０ｃの長手方向外方へ主にそれぞれ放射され、短手方向にも放射される。なお、図３０中、ｌは第３の光学ユニット３０のリード線である。
【００８９】
図２６，図２７に示すように、このように構成された第３の光学ユニット６Ｃの複数個は、例えばアルミニウム製矩形平板状のユニット取付板１０Ｃに固定される。すなわち、図２９に示すようにユニット取付板１０Ｃは、その表面１０Ｃａに、複数の第３の光学ユニット６Ｃをそれぞれ取り付ける複数の取付段部１０Ｃｂ，１０Ｃｂ，…を突設している。これら取付段部１０Ｃｂ，１０Ｃｂ，…はユニット取付板１０Ｃの裏面側からのプレス加工等により表面１０Ｃａ側へ突出するようにそれぞれ一体に突設されている。これら取付段部１０Ｃｂ，１０Ｃｂ，…はユニット取付板１０Ｃの後部Ｒ側から前部Ｆ側に向けて下り傾斜で傾斜する傾斜角α１，α２，α３，α４にそれぞれ形成されている。これら傾斜角α１〜α４は、ユニット取付板１０Ｃの幅方向でほぼ円弧状に配列された、例えば３箇所の取付段部１０Ｃｂ，１０Ｃｂ，…はみな等しく、かつ後方Ｒ側から前方Ｆ側に向けて、例えば１１°（α１），９°（α２），７°（α３），５°（α４）にそれぞれ形成されている。
【００９０】
そして、図３０に示すようにこれらの各取付段部１０Ｃｂには、各第３の光学ユニット６Ｃのセラミック基板６ｂＣを収容する収容凹部１０Ｃｃをそれぞれ形成している。各収容凹部１０Ｃｃは、その深さがセラミック基板６ｂＣの板厚とほぼ等しい寸法に形成されているので、この収容凹部１０Ｃｃ内にセラミック基板６ｂＣが収容された状態では、このセラミック基板６ｂＣの前面ｂｃＣ（図３０中の上面）が取付段部１０Ｃｂの図中上面とほぼ面一になる。
【００９１】
そして、図２６，図２７に示すように、上記複数の取付段部１０Ｃｂ，１０Ｃｂ，…は、ユニット取付板表面１０Ｃａ上において、例えばほぼ３行３列（但し中間行は４列）に配列されており、ケース本体３とユニット取付板１０Ｃの幅方向（短手方向）、すなわち、道路の長手方向に沿って、一直線状ではなく、千鳥状に配置されている。
【００９２】
そして、各光学ユニット６Ｃは、レンズベース部２０ｂの例えば複数の角部にねじ挿通孔をそれぞれ形成し、これらねじ挿通孔に挿通させた複数の締結ねじ２１，２１の締付によりユニット取付板１０Ｃの各取付段部１０Ｃｂ上に着脱可能に取り付けられる。
【００９３】
したがって、図２６，図２７に示すように第３の光学ユニット６Ｃ，６Ｃ，…は、ケース本体３とユニット取付板１０Ｃの幅方向（短手方向）、すなわち、道路の長手方向に沿って千鳥状に配列される。このために、光学ユニット６Ｃ，６Ｃ，…からケース本体３の幅方向（短手方向）、すなわち、道路の長手方向に照射される光が、その道路長手方向で隣り合う他の光学ユニット６Ｃ，６Ｃ，…により遮光されることを低減でき、照射効率の向上が期待できる。
【００９４】
図２７に示すようにユニット取付板１０Ｃは、その表面１０Ｃａの外周縁部に、所要高さで立ち上がる所要幅のフランジ１０Ｃｄを一体に突設し、このフランジ１０Ｃｄには、図３１で示すように装置本体Ａの一端部をなすケース本体３の図中下端の隅角部に形成された柱状の複数の取付用ボス２２，２２，…の図中上端部を挿通させる取付用挿通孔２２ａ，２２ａ，…を周方向に所要の間隔を置いて形成している。
【００９５】
図３１に示すように、各取付用ボス２２，２２，…の図中上端部は、ユニット取付板１０Ｃの各取付用挿通孔２２ａ，２２ａ，…を挿通させてから、各取付用ボス２２のねじ孔に止めねじ２３をそれぞれ締め付けることにより、ユニット取付板１０Ｃをケース本体３に固定することができる。ユニット取付板１０Ｃの側面はケース本体３の内側面に当接し、第３の光学ユニット６Ｃ，６Ｃ，…の発熱をユニット取付板１０Ｃを介してケース本体３に伝達させ、ケース本体３の外側面から外気へ放熱するようになっている。なお、ケース本体３の照射側開口３Ｋには、強化ガラスからなる透光プレート５が嵌合される。
【００９６】
ケース本体３は、上記第１，第２の実施形態に係るケース本体２と同様に構成され、ケース本体３の開口上端３ｄ上に、アルミダイカスト製の上蓋４をねじ止め等により着脱可能に取り付けることにより装置本体Ａに構成される。この上蓋４の外形、構成も上記第１，第２の実施形態に係る上蓋４と同様に形成されている。
【００９７】
そして、図３１に示すように上蓋４は、その図中上端、例えば凹部４ｅの内面に、第３の光学ユニット６Ｃ，６Ｃ，…を点灯、消灯等を制御する図示省略の点灯回路を含む電源装置２４を取り付けている。この電源装置２４に接続された図示省略の電源線や制御線は、その出力側を、各光学ユニット６Ｃ，６Ｃ，…の図２８で示すリード線ｌに接続する一方、入力側をケース本体３の後方Ｒ側にある後端部の電気室３ａに延伸し、図示省略の電源端子と制御端子にそれぞれ接続される。
【００９８】
電源装置２４は、放熱性と剛性を有するアルミニウム製矩形平板などからなる基板２４ａの少なくとも一面に、点灯回路や電源回路等を構成する複数の電気部品２４ｂ，２４ｂを取り付けることにより構成されている。
【００９９】
基板２４ａは、上蓋４の内面に突設された複数の柱状の取付ボス２５，２５，…の図３１中下端部をそれぞれ挿通させる複数の挿通孔を形成しており、これら挿通孔内に取付ボス２５，２５，…の図中下端部を挿通させ、その挿通先端部内のねじ孔内のねじ孔内に、止めねじ２６，２６，…をねじ込むことにより、上蓋４内で固定される。
【０１００】
第３の光学ユニット６Ｃ，６Ｃ，…のＬＥＤモジュール６ａＣ，６ａＣ，…が電源線により通電されると、このＬＥＤモジュール６ａＣ，６ａＣ，…が例えば白色光に発光する。この白色光は、第３の光学ユニット６Ｃ，６Ｃ，…を固定しているユニット取付板１０Ｃの取付段部１０Ｃｂ，１０Ｃｂ，…がケース本体３の前方Ｆへ向けて下がる傾斜角α１〜α２に形成されているので、主に前方Ｆ、すなわち道路幅方向前方へ向けて照射される。
【０１０１】
しかも、これら取付段部１０Ｃｂ，１０Ｃｂ，…は、その傾斜角α１〜α４を後方Ｂ側から前方Ｆに向けて漸次小さくしているので、これら前後方向で隣り合う第３の光学ユニット６Ｃ，６Ｃ，…が遮光することを低減できる。
【０１０２】
また、これら第３の光学ユニット６Ｃ，６Ｃ，…は、ＬＥＤモジュール６ａＣ，６ａＣ，…で発光した白色光を異形レンズ２０の長手方向、すなわち、ケース本体３の幅（短手）方向、つまり道路の長手方向にも照射するが、これら第３の光学ユニット６Ｃ，６Ｃ，…の道路長手方向の配列が千鳥状であるので、道路長手方向で隣り合う第３の光学ユニット６Ｃ，６Ｃ，…同士が遮光することを低減できる。
【０１０３】
また、図３１に示すように、複数の第３の光学ユニット６Ｃ，６Ｃ，…を取り付けているユニット取付板１０Ｃの側面がケース本体３の内面に当接しているので、第３の光学ユニット６Ｃ，６Ｃ，…のＬＥＤモジュール６ａＣで発生した発熱をユニット取付板１０Ｃを介してケース本体３に熱伝導させることができる。このために、ケース本体３の外側面から外気へ放熱できるので、ケース本体３内で熱が籠り昇温することを低減できる。その結果、熱によりＬＥＤモジュール６ａＣの発光効率が低下し、寿命特性が劣化することを低減できる。
【０１０４】
さらに、発熱する第３の光学ユニット６Ｃ，６Ｃ，…を装置本体Ａの図３１中下側のケース本体３内に配設する一方、発熱する電源装置２４を装置本体Ａの図３１中上側の上蓋４内に配設して上下方向に離間して配置したので、電源装置２４も第３の光学ユニット６Ｃ，６Ｃ，…と共に、ケース本体３内に配設する場合に比して、ケース本体３の昇温温度の低減を図ることができる。
【０１０５】
さらに、上蓋４は、その上面上に、雨や雪、ほこり、粉塵、枯葉等が降下した場合には、これらは図３中矢印で示すように上蓋４の前後方向の下り湾曲面や幅方向の下り湾曲面により摺べり落ちるので、これらの堆積を低減できる。このために、メンテナンスを軽減できる。
【０１０６】
さらにまた、上蓋４は一対の山なりの突条４ｃ，４ｄや湾曲凹部４ｅを形成することにより、表面積の増大を図っているので、放熱性を向上できる。また、上蓋４内の光源室３内の自然対流を促進して放熱性を向上できる。
【０１０７】
なお、上記実施形態では第３の光学ユニット６Ｃ，６Ｃ，…を１０台設けた場合について説明したが、本発明は、その台数に限定されるものではなく、１０台以上でもよく、１０台以下でもよい。
【０１０８】
さらに、各第３の光学ユニット６Ｃは、ＬＥＤモジュール６ａＣ、セラミック基板６ｂＣおよび異形レンズ２０を予め一体的に組み付けることによりユニット化し、ケース本体３内に配設されるユニット取付板１０Ｃに着脱自在に設けたので、各光学ユニット６Ｃ毎に交換することができる。このために、複数のＬＥＤ光学ユニット６Ｂ，６Ｂ，…の一部に不具合が発生した場合でも、照明装置１Ｃ全体を交換する場合に比してコスト低減を図ることができる。
【０１０９】
さらにまた、ＬＥＤモジュール６ａＣを伝熱性の高いセラミック基板６ｂＣにより支持しているので、ＬＥＤモジュール６ａＣの発熱に対する放熱性を向上できる。また、一般に脆弱なセラミック基板６ｂＣを、ねじ止めせずに、シリコーン樹脂により異形レンズ２０に固着しているので、セラミック基板６ｂＣの破損を低減できる。
【０１１０】
以上、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【０１１１】
１，１Ａ，１Ｃ…照明装置、２，２ａ…ポール（支柱）、３…ケース本体（装置本体の一部）、３ａ…電気室、３ｄ…ポール挿入用横孔、３ｈ…ポール挿入用縦孔、３ｋ…開口、４…上蓋（装置本体の一部）、４ａ…頂部、４ｃ，４ｄ…一対の突条、４ｈ…湾曲凹部、５…透光プレート、６，６Ａ…ＬＥＤ光学ユニット、６ａ，６ａＣ…ＬＥＤモジュール、６ａａ，６ａａＣ…ＬＥＤモジュールの発光面、６ｃ，６ｄ…平面ミラー、６ｅ，６ｆ…側面カーブミラー、６Ａｃ〜６Ａｅ…反射ミラー、６Ｂ…後方照射ＬＥＤ光学ユニット、６Ｃ…第３の光学ユニット、６Ｆ…前方照射ＬＥＤ光学ユニット、６ｉｎ…内側ＬＥＤ光学ユニット、６ｏｕｔ…外側ＬＥＤ光学ユニット、７…光源収容部、８ａ，８ｂ…一対の板ばね（押え）、９…ユニット支持板、９ｃ，９ｃ…放熱フィン、１０，１０Ｃ…ユニット取付板、２０…異形レンズ、Ａ…装置本体。
【図１】
2015165509.tif 000003
【図２】
2015165509.tif 000004
【図３】
2015165509.tif 000005
【図４】
2015165509.tif 000006
【図５】
2015165509.tif 000007
【図６】
2015165509.tif 000008
【図７】
2015165509.tif 000009
【図８】
2015165509.tif 000010
【図９】
2015165509.tif 000011
【図１０】
2015165509.tif 000012
【図１１】
2015165509.tif 000013
【図１２】
2015165509.tif 000014
【図１３】
2015165509.tif 000015
【図１４】
2015165509.tif 000016
【図１５】
2015165509.tif 000017
【図１６】
2015165509.tif 000018
【図１７】
2015165509.tif 000019
【図１８】
2015165509.tif 000020
【図１９】
2015165509.tif 000021
【図２０】
2015165509.tif 000022
【図２１】
2015165509.tif 000023
【図２２】
2015165509.tif 000024
【図２３】
2015165509.tif 000025
【図２４】
2015165509.tif 000026
【図２５】
2015165509.tif 000027
【図２６】
2015165509.tif 000028
【図２７】
2015165509.tif 000029
【図２８】
2015165509.tif 000030
【図２９】
2015165509.tif 000031
【図３０】
2015165509.tif 000032
【図３１】
2015165509.tif 000033